(57)【要約】【課題】引出しに配管が干渉することを避けるために引出しに設けた凹部について、簡単な構造で、施工性に優れた引出しを備えたキャビネット及びその施工方法、並びに該キャビネットを備えたキッチンを実現する。【解決手段】キャビネットの引出し１は、前面扉２と、左右一対の側面壁３と、配管を避けるための凹部４と、背面壁５と、底板６と、を有し、凹部４は、凹部開口１１と、凹部前壁１２と、左右一対の凹部側壁１３と、を含み、凹部側壁１３の一方の端部には、背面壁５が固定されるための切欠き部３３が形成されており、凹部側壁１３は、平面視で底板６の底開口１７の端縁部１８、１９が見えない状態で取り付けられている。【選択図】図２
2014161407.tif 000002
【特許請求の範囲】
【請求項１】
前面扉と、左右一対の側面壁と、配管を避けるための凹部と、背面壁と、底板と、を有する引出しを備えたキャビネットであって、凹部は、凹部開口と、凹部前壁と、左右一対の凹部側壁と、を含み、凹部側壁の一方の端部には、背面壁が固定されるための切欠き部が形成されていることを特徴とするキャビネット。
【請求項２】
切欠き部の奥行き方向の切欠き寸法が、 背面壁の板厚と略同一寸法とされていることを特徴とする請求項１に記載のキャビネット。
【請求項３】
凹部側壁は、平面視で底板の凹部開口の端縁部が見えない状態で取り付けられていることを特徴とする請求項１または２に記載のキャビネット。
【請求項４】
請求項１から３のいずれかに記載のキャビネットを備えたキッチン。
【請求項５】
前面扉と、左右一対の側面壁と、配管を避けるための凹部と、背面壁と、底板と、を備え、凹部は、凹部開口と、凹部前壁と、一方の端部に背面壁が固定されるための切欠き部が形成されている左右一対の凹部側壁と、を含んでいる引出しを備えたキャビネットの施工方法であって、配管の位置にあわせて底板と背面壁とを切り取ることにより凹部開口を形成する第一の工程と、凹部開口寸法にあわせて左右一対の凹部側壁の他方の端部を切断する第二の工程と、 凹部前壁を底板の凹部開口に取り付ける第三の工程と、 凹部側壁を凹部前壁と背面壁に固定する第四の工程とを有することを特徴とするキャビネットの施工方法。
【請求項６】
前面扉と、左右一対の側面壁と、配管を避けるための凹部と、背面壁と、底板と、を備え、凹部は、凹部開口と、凹部前壁と、一方の端部に背面壁が固定されるための切欠き部が形成されている左右一対の凹部側壁と、を含んでいる引出しを備えたキャビネットの施工方法であって、配管の位置にあわせて底板と背面壁とを切り取ることにより凹部開口を形成する第一の工程と、凹部開口寸法にあわせて左右一対の凹部側壁の他方の端部を切断する第二の工程と、凹部側壁を凹部前壁に固定する第三の工程と、凹部側壁を背面壁に固定するとともに、凹部前壁を底板の凹部開口に取り付ける第四の工程と、を有することを特徴とするキャビネットの施工方法。
【発明の詳細な説明】
【技術分野】
【０００１】
本発明は、配管を避けるための凹部を有する引出しを備えたキャビネット及びその施工方法、並びに該キャビネットを備えたキッチンに関する。
【背景技術】
【０００２】
キッチンのキャビネットを設置する時には、シンクからの排水用の配管を建屋の排水口に接続する必要がある。建屋の排水口の位置がシンクの比較的背後側にあり、配管がキャビネットの引出しの背後側を通過するような場合であれば、配管が引出しと干渉して邪魔になるようなことはない。しかし、排水口の位置がシンクの直に下方にある場合等は、配管が引出し、特に引出しの後部と接触して干渉し、邪魔となるような場合がある。
【０００３】
従来、引出しと配管との干渉を防止するために、引出しに配管が干渉することを避けるために、引出しに凹部を形成した構成は知られている。例えば、抽斗装置において、抽斗の後部に湾曲状に変形可能な樹脂製のプレートを用いて凹部を形成した収納キャビネットが知られている（特許文献１参照）。
【０００４】
また、平面視で略コ字型壁部材から成るトラップ挿通片及び側面視略Ｌ字型の補助片等、複数の構成部品を用いて、引出しの後方に凹部を形成した収納キャビネットが知られている（特許文献２参照）。
【先行技術文献】
【特許文献】
【０００５】
【特許文献１】特開２００８−２６４２０７号公報
【特許文献２】特開２００５−３０４９４５号公報
【発明の概要】
【発明が解決しようとする課題】
【０００６】
上記のとおり、キャビネットの引出しに配管が干渉することを避けるための凹部を形成した構成は知られているが、例えば、上記特許文献１記載の発明は、凹部に合わせて樹脂製のフレキシブルプレートを切断し、フレキシブルプレートを抽斗の後部の底板の逃げ凹部の輪郭形状に合わせて変形して設置しなくてはならないという作業が必要であり、このような面で、施工性の面で改善すべき点がある。
【０００７】
また、フレキシブルプレートは底板の逃げ凹部の端縁部に沿って底板上に載置して取り付けるために、平面視（上方から見て）で、底板の切り取り端縁部が見えてしまう可能性がある。すると、底板の端縁部が、滑らかに切り取られておらず歪み、ギザ、バリ等のある場合には、そのような端縁部が見えてしまい、意匠性を損なうという問題がある。
【０００８】
また、上記特許文献２記載の発明は、引出しの後方に凹部を形成するために、トラップ挿通片及び側面視略Ｌ字型の補助片等、複数の構成部品を用いなくてはならず、構造が複雑で、施工も必ずしも簡単とは言えない。
【０００９】
本発明は、上記従来の間題を解決することを目的とするものであり、キャビネットの引出しに配管が干渉することを避けるために引出しに設けた凹部について、簡単な構造で、施工性に優れたキャビネット及びその施工方法、並びに該キャビネットを備えたキッチンを提供することを課題とする。
【課題を解決するための手段】
【００１０】
本発明は上記課題を解決するために、前面扉と、左右一対の側面壁と、配管を避けるための凹部と、背面壁と、底板と、を有する引出しを備えたキャビネットであって、凹部は、凹部開口と、凹部前壁と、左右一対の凹部側壁と、を含み、凹部側壁の一方の端部には、背面壁が固定されるための切欠き部が形成されていることを特徴とするキャビネットを提供する。
【００１１】
切欠き部の奥行き方向の切欠き寸法が、 背面壁の板厚と略同一寸法とされていることが好ましい。
【００１２】
凹部側壁は、平面視で底板の凹部開口の端縁部が見えない状態で取り付けられていることが好ましい。
【００１３】
本発明は、以上の構成を特徴とするキャビネットを備えたキッチンを提供する。
【００１４】
本発明は上記課題を解決するために、前面扉と、左右一対の側面壁と、配管を避けるための凹部と、背面壁と、底板と、を備え、凹部は、凹部開口と、凹部前壁と、一方の端部に背面壁が固定されるための切欠き部が形成されている左右一対の凹部側壁と、を含んでいる引出しを備えたキャビネットの施工方法であって、配管の位置にあわせて底板と背面壁とを切り取ることにより凹部開口を形成する第一の工程と、凹部開口寸法にあわせて左右一対の凹部側壁の他方の端部を切断する第二の工程と、 凹部前壁を底板の凹部開口に取り付ける第三の工程と、 凹部側壁を凹部前壁と背面壁に固定する第四の工程とを有することを特徴とするキャビネットの施工方法を提供する。
【００１５】
本発明は上記課題を解決するために、前面扉と、左右一対の側面壁と、配管を避けるための凹部と、背面壁と、底板と、を備え、凹部は、凹部開口と、凹部前壁と、一方の端部に背面壁が固定されるための切欠き部が形成されている左右一対の凹部側壁と、を含んでいる引出しを備えたキャビネットの施工方法であって、配管の位置にあわせて底板と背面壁とを切り取ることにより凹部開口を形成する第一の工程と、凹部開口寸法にあわせて左右一対の凹部側壁の他方の端部を切断する第二の工程と、凹部側壁を凹部前壁に固定する第三の工程と、凹部側壁を背面壁に固定するとともに、凹部前壁を底板の凹部開口に取り付ける第四の工程と、を有することを特徴とするキャビネットの施工方法を提供する。
【発明の効果】
【００１６】
本発明によれば、キャビネットの引出しにおいて、配管を避ける凹部は、構成は簡単で施工性に優れており、施工現場でも施工作業が簡単となる。そして、配管は、キャビネットの引出しの凹部を通して配置されるので、引出しと干渉するようなことを避けることができる。
【００１７】
また、本発明によれば、キッチンを施工する際、施工現場における排水口、配管の取付け位置等の設置環境に合わせて、施工前の引出しの後部を切り取って凹部開口を形成し、この凹部開口に沿って凹部前壁及び凹部側壁を設けることで、配管を避ける凹部を設けることができるので、施工現場での施工性に優れており、施工作業が簡単となる。
【図面の簡単な説明】
【００１８】
【図１】本発明に係るキッチンの全体構成を示す斜視図である。
【図２】本発明に係るキャビネット及びその施工方法の実施例を説明するための図であり、（ａ）は本発明のキャビネットの引出しの斜視図であり、（ｂ）は本発明の施工方法を説明するための施工前の引出しの斜視図である。
【図３】上記実施例の引出しの凹部を説明するための図であり、（ａ）は凹部を下方から見た斜視図であり、（ｂ）は凹部の一部を斜め下方から見た斜視図である。
【図４】上記実施例の引出しの凹部の構成を説明するための図であり、（ａ）は引出しの凹部を斜め上方から見た斜視図であり、（ｂ）は引出しの凹部を構成する凹部側壁の切欠き部を斜め上方から見た斜視図であり、（ｃ）は凹部側壁と背面壁を組み合わせて固定した構造を示す平面図である。
【図５】上記実施例の引出しの凹部の構成、施工方法を説明する図であり、（ａ）は底板を切り取って形成した底開口の平面図であり、（ｂ）は底開口の前側の端縁部及び左右の端縁部に沿って凹部前壁と左右の凹部側壁を立設して形成した引出しの凹部の平面図である。
【発明を実施するための形態】
【００１９】
本発明に係るキャビネット及びその施工方法、並びに該キャビネットを備えたキッチンを実施するための形態を実施例に基づき図面を参照して、以下説明する。本明細書では、前側はキャビネットを正面側から見て手前側であり、後側はキャビネットを正面側から見て奥側である。
【実施例】
【００２０】
本発明に係るキャビネット及びその施工方法、並びに該キャビネットを備えたキッチンの実施例を図１〜図５において説明する。本発明に係るキッチン７は、その全体構成を図１に示すが、この図１に示すように、本発明に係るキャビネット８を備えており、このキャビネット８は、図２（ａ）に示すような引出し１を備えている。
【００２１】
この引出し１は、前面扉２と、左右一対の側面壁３と、配管を避けるための凹部４と、背面壁５と、底板６と、を備えている。凹部４は、凹部開口１１と、凹部前壁１２と、左右一対の凹部側壁１３と、を含む。
【００２２】
凹部開口１１は、図２（ａ）、（ｂ）に示すように、引出し１の背面壁５の左右方向の中央部が切り取られている背面開口１６と、該背面開口１６に連続して底板６の後縁から前方に向かって凹状に切り取られている底開口１７とから成る。底板６の底開口１７は、図３（ａ）、（ｂ）及び図５（ａ）に示すように、前側の端縁部１８と左右の端縁部１９とを有する。本実施例では、凹部開口１１を中央部に設けたが、施工現場の配管位置にあわせ中央部以外の部分に設けても良い。
【００２３】
凹部前壁１２と左右一対の凹部側壁１３は、互いに一体に固定され全体的に、平面視で底開口１７に対応して凹状に形成されている。図３（ａ）、（ｂ）及び図４（ａ）に示すように、凹部前壁１２は、底開口１７の前側の端縁部１８に沿って、Ｌ型の固定金具２２で固定されている。
【００２４】
この場合、凹部前壁１２の後面２３と底開口１７の前側の端縁部１８の前端面とが略面一となるように、或いは凹部前壁１２の後面２３が底板６端縁部１８の前端面より若干後方になるように、凹部前壁１２は、底板６から上方に向けて立設して固定される。このような構成とすることで、上方から凹部４を見て、底開口１７の前側の端縁部１８は見えることなく、隠された状態となる。
【００２５】
Ｌ型の固定金具２２は、図３（ａ）、（ｂ）に示すように、水平部２７と垂直部２８とから成り、水平部２７は底板６の下面に当接してビスで固定され、垂直部２８は底開口１７の前側の端縁部１８から凹部前壁１２の後面２３にかけて当接し、凹部前壁１２の後面２３にビスで固定されている。
【００２６】
左右の凹部側壁１３は、それぞれその前端部３１は、図３（ａ）、（ｂ）及び図４（ａ）に示すように、凹部前壁１２の後面２３の左右端に当接して固定されている。左右の凹部側壁１３の後端部３２には、図４（ａ）〜（ｃ）に示すように、上下に伸びる切欠き部３３が形成されている。
【００２７】
図４（ｂ）、（ｃ）において、切欠き部３３の奥行き方向（前方向）の切欠き寸法ｗが、背面壁５の板厚ｔと略同一寸法とされている。切欠き部３３には、図４（ａ）、（ｃ）に示すように、背面壁５の内端部３４（背面開口１６の左右の端縁部でもある）が嵌合し、凹部側壁１３の後端部３２の後面と背面壁５の後面が面一となって凹部側壁１３に固定される。後端部３２が本発明の一方の端部に相当し、前端部３１が本発明の他方の端部に相当する。
【００２８】
図５（ａ）は、底板６の一部を切り取って底開口１７を形成し、未だ凹部前壁１２及び凹部側壁１３を立設していない状態の底板６を、上方から見た平面図を示している。この底板６の底開口１７の前側の端縁部１８及び左右の端縁部１９に沿って凹部前壁１２及び凹部側壁１３を立設した状態を、上方から見た平面図を図５（ｂ）に示す。図５（ｂ）において、底開口１７の左右の端縁部１９は、それぞれ点線で示す。
【００２９】
この図５（ｂ）に示すように、凹部前壁１２及び凹部側壁１３は、底開口１７の前側の端縁部１８及び左右の端縁部１９を上方から覆い隠して見えない状態となるように、底板６の底開口１７に沿って底板６上固定されている。
【００３０】
（施工方法、作用等）
本発明に係るキャビネット８の施工方法、作用等について、以下説明する。凹部４を形成する材料として、予め後端部３２に切欠き部３３が形成されている左右一対の凹部側壁１３と、凹部前壁１２を用意しておく。凹部側壁１３の後端部３２には、予め切欠き部３３を形成しておけば、現場で切欠き部３３を形成する作業が省けるので好ましい。現場における施工の工程は次のとおりである。
【００３１】
（１）キッチン７を施工する際、施工現場における排水口、配管の取付け位置等の設置環境に合わせて、引出し１の底板６と背面壁５を、図２（ｂ）の２点鎖線で示すように、背面開口１６及び底開口１７を切り取って凹部開口１１を形成する。
【００３２】
この切り取りの結果、底開口１７の前側端縁部１８及び左右の端縁部１９に歪みや、バリ、ギザ等が発生する可能性がある。図５（ａ）に示す例では、左右の端縁部１９に歪みが発生された状態を示している。
【００３３】
（２）次に、左右一対の凹部側壁１３の前端側（切欠き部３３が形成されていない方の端部側）を、底開口１７の前後方向の長さｐ（図５（ａ）参照）に対応して適切な寸法に切断する。
【００３４】
（３）つづいて、凹部前壁１２の後面２３に左右の凹部側壁１３の前端部３１を当接して、ビスで固定して組み立てる。その後、凹部側壁１３の切欠き部３３に背面壁５の内端部３４を嵌合し、凹部前壁１２を、底開口１７の前側の端縁部１８に沿って底板６上に当接した状態にして、凹部側壁１３の後端部３２を、図４（ａ）、（ｃ）及び図５（ｂ）に示すように、背面壁５にビス等で固定する。
【００３５】
（４）最後に、凹部前壁１２を、底開口１７の前側の端縁部１８に沿って底板６上にＬ型の固定金具２２で取り付けて立設する。
【００３６】
なお、上記（３）の工程と（４）の工程の順序を逆にしてもよい。即ち、（３）の工程として、凹部前壁１２の後面２３に左右の凹部側壁１３の前端部３１を当接して、ビスで固定して組み立ててから、凹部側壁１３の切欠き部３３に背面壁５の内端部３４を嵌合し、凹部前壁１２を、底開口１７の前側の端縁部１８に沿って底板６上にＬ型の固定金具２２で取り付けて立設する。その後、（４）の工程として、凹部側壁１３の後端部３２を背面壁５にビス等で固定するようにしてもよい。
【００３７】
また、（３）の工程において、凹部前壁１２の後面２３に左右の凹部側壁１３をビスで固定して組み立てることなく、凹部前壁１２を底開口１７の前側の端縁部１８に沿って底板６上にＬ型の固定金具２２で取り付けて立設してもよい。この場合は、その後、（４）の工程において、凹部側壁１３を背面壁５にビスで固定するとともに、凹部側壁１３の前端部３１を凹部前壁１２の後面２３にビスで固定する。
【００３８】
なお、本発明の上記施工方法では、上記施工に際して、凹部前壁１２及び凹部側壁１３は、平面視（上方から見て）で底板６の底開口１７の端縁部（底開口１７の前側の端縁部１８及び左右の端縁部１９）が見えない状態で取り付けることを特徴とする。
【００３９】
本発明に係るキャビネット８及びその施工方法は、以上のとおりであるので、構造が簡単で、施工性に優れており、施工現場でも施工作業が簡単となる。そして、配管は、上記のとおり形成した引出し１の凹部４を通して配置すれば、引出し１と干渉するようなことを避けることができる。
【００４０】
特に、本発明のキャビネット８の引出し１の凹部４は、凹部前壁１２及び凹部側壁１３は、平面視で底板６の底開口１７の端縁部（底開口１７の前側の端縁部１８及び左右の端縁部１９）が見えない状態で取り付けられている。
【００４１】
従って、凹部１７を上方から見ても凹部前壁１２及び凹部側壁１３の下端において、底板６の底開口１７の端縁部が凹部前壁１２及び凹部側壁１３によって、隠されて見えることがない。
【００４２】
このような構成とすると、底板６の一部を切り取って底開口１７を形成する際に、図５（ａ）に示すように、底開口１７が、正確に凹型に切り取られず、底開口１７の前側の端縁部１８及び左右の端縁部１９が歪んだり曲がったり形成されていても、或いは底開口１７の前側の端縁部１８及び左右の端縁部１９にバリ等が形成されていても、図５（ｂ）に示すように、凹部前壁１２及び凹部側壁１３によって、隠されて見えないので、見栄えを損なうことなく意匠性が向上する。
【００４３】
また、配管を凹部４を通して配置する作業をする際に、凹部４に、底開口１７の前側の端縁部１８及び左右の端縁部１９が突出していないので、配管が、接触したり引っ掛かることがないので、凹部前壁１２及び凹部側壁１３によって、スムースに案内され、作業がし易くなる。
【００４４】
以上、本発明に係るキャビネット及びその施工方法、並びに該キャビネットを備えたキッチンを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４５】
本発明に係るキャビネット及びその施工方法、並びに該キャビネットを備えたキッチンは上記のような構成であるから、キッチン用設備だけでなく、洗面用の設備等にも適用可能である。
【符号の説明】
【００４６】
１  引出し
２  前面扉
３  側面壁
４  凹部
５  背面壁
６  底板
７  キッチン
８  キャビネット
１１  凹部開口
１２  凹部前壁
１３  凹部側壁
１６  背面開口
１７  底開口
１８  底開口の前側の端縁部
１９  底開口の左右の端縁部
２２  Ｌ型の固定金具
２３  凹部前壁の後面
２７  Ｌ型の固定金具の水平部
２８  Ｌ型の固定金具の垂直部
３１  凹部側壁の前端部
３２  凹部側壁の後端部
３３  凹部側壁の後端部の切欠き部
３４  背面壁の内端部
【図１】
2014161407.tif 000003
【図２】
2014161407.tif 000004
【図３】
2014161407.tif 000005
【図４】
2014161407.tif 000006
【図５】
2014161407.tif 000007